【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
１５００以下のDB-5カラム上のKovats保持指標を有する、パチョリオイルの画分中に存在する化合物および／または嗅覚的に等価な香料成分から選択される１つ以上の化合物を含む香料補完物。
【請求項２】
１３００以下のDB-5カラム上のKovats保持指標を有する、パチョリオイルの画分中に存在する化合物および／または嗅覚的に等価な香料成分から選択される１つ以上の化合物を含む請求項１に記載の香料補完物。
【請求項３】
２−メトキシ−３，６−ジメチルピラジン、イソ−ブチルメトキシピラジン、２−イソプロピル−３−メトキシピラジン、１，２，７，７−テトラメチルビシクロ［２．２．１］ヘプタン−２−オール、例えば2-メチルイソボルネオール、４，４，８ａ−トリメチルデカヒドロナフタレン−４ａ−オール、例えばメチルジェオスミン、４−エチルオクタン酸、３−プロピルフェノール、（３Ｓ，５Ｒ，８Ｓ）−５−イソプロペニル−３，８−ジメチル−３，４，５，６，７，８−ヘキサヒドロ−１（２Ｈ）−アズレノン、例えばロタンドンまたはロタンドン含有材料（例えばAKIGALAWOOD（商標）の形態で)、３，８，８，１１ａ−テトラメチルドデカヒドロ−１Ｈ−３，５ａ−エポキシナフト［２，１−ｃ］オキセピン、例えばAMBERKETAL（商標）、２−（２−（３，３，５−トリメチルシクロヘキシル）アセチル）シクロペンタノン、例えばジオン、および２−（３，８−ジメチル−１，２，３，４，５，６，７，８−オクタヒドロアズレン−５−イル）プロパン−２−イルアセテート、例えばグアイルアセテートからなる群から選択される１つ以上の化合物を含む、請求項１または２に記載の香料補完物。
【請求項４】
２−エチルフラン、４−エチニル−２−メトキシフェノール、例えば４−ビニルグアイアコール、４−メチル吉草酸エチル、（４Ｓ，４ａＳ，８ａＲ）−４，８ａ−ジメチル−１，２，３，４，５，６，７，８−オクタヒドロナフタレン−４ａ−オール、例えばジェオスミン、４−エチニル−２−メトキシフェノール、例えば４−エチルグアイアコール、４−エチルフェノール、２，６，６−トリメチルシクロヘキサ−１，３−ジエンカルバルデヒド、例えばサフラナール、３−プロピルフェノール、イソ−ブチルメトキシピラジン、２−メトキシ−３，６−ジメチルピラジンおよび２−メチルイソ−ボルネオール（エナンチオオマーの一方、またはそれらのあらゆる割合の混合物）からなる群から選択される１つ以上の化合物を含む、請求項１〜３のいずれか一項に記載の香料補完物。
【請求項５】
２−イソプロピル−３−メトキシピラジン、または２−メトキシ−３，５−ジメチルピラジン、２−メトキシ−５，６−ジメチルピラジン、２−イソプロピル−５−メトキシピラジン、２−イソプロピル−６−メトキシピラジン、２−ｓｅｃ−ブチル−３−メトキシピラジンまたは２−ブチル−３−メトキシピラジンなどの他の嗅覚的に類似のピラジン香料成分、４，４，８ａ−トリメチルデカヒドロナフタレン−４ａ−オール、例えばメチルジェオスミン、（３Ｓ、５Ｒ、８Ｓ）−５−イソプロペニル−３，８−ジメチル−３，４，５，６，７，８−ヘキサヒドロ−１（２Ｈ）−アズレノン、例えばロタンドンまたは（３Ｓ、５Ｒ、８Ｓ）−５−イソプロペニル−３，８−ジメチル−３，４，５，６，７，８−ヘキサヒドロ−１（２Ｈ）−アズレノン、例えばロタンドン含有材料（例えばAKIGALAWOOD（商標）の形態で）、クラリーセージ、３，８，８，１１ａ−テトラメチルドデカヒドロ−１Ｈ−３，５ａ−エポキシナフト［２，１−ｃ］オキセピン、例えばAMBERKETAL（商標）、２−（３，８−ジメチル−１，２，３，４，５，６，７，８−オクタヒドロアズレン−５−イル）プロパン−２−イルアセタート、例えばグアイルアセテート、（Ｅ）−１−（２，６，６−トリメチルシクロヘキサ−１，３−ジエン−１−イル）ブタ−２−エン−１−オン、例えばダマセノン、２−（２−（３，３，５−トリメチルシクロヘキシル）アセチル）シクロペンタノン、例えばジオン、４−エチルオクタン酸、ジメチルスルフィド、２，４−ジエトキシ５−メチルピリミジン、例えばVETHYMINE（商標）、イソ−プロピル−２−メチル−４−チアゾール、パインオイル（特にシベリアンパインオイル）、２−（４−メチルシクロヘキサ−３−エン−１−イル）プロパン−２−オール，例えば４−テルピネオール、オクタ−１−エン−３−オール、例えばアミルビニルカルビノール、５−イソプロピル−２−メチルフェノール、例えばカルバクロール、４−ヒドロキシ−３−メトキシベンズアルデヒド、例えばバニリン、４−アリル−２−メトキシフェノール、例えばオイゲノール、２−メトキシフェノール、例えばグアイアコール、ジヒドロ４−アリル−２−メトキシフェノール、例えばオイゲノール、３−ヒドロキシ−４，５−ジメチルフラン−２（５Ｈ）−オン、例えばキャラメルラクトン、４−（１−エトキシビニル）−３，３，５，５−テトラメチルシクロヘキサノン、例えばKEPHALIS（商標）、フェヌグリークアブソリュート)、イモーテルアブソリュート、ラブダナムアブソリュート、ハルガヤアブソリュート）、ミツロウアブソリュート、ジメチルトリスルフィド、マンザネート、２−メチルプロパン酸、３−メチル酪酸、４−メチルオクタン酸および（Ｚ）−メチル２−（３−オキソ−２−（ペンタ−２−エン−１−イル）シクロペンチル）アセテート、例えばエピジャスモン酸メチルからなる群から選択される１つ以上の化合物を含む、請求項１〜４のいずれか一項に記載の香料補完物。
【請求項６】
２−エチルフラン、４−エチニル−２−メトキシフェノール、例えば４−ビニルグアイアコール、４−メチル吉草酸エチル、（４Ｓ，４ａＳ，８ａＲ）−４，８ａ−ジメチル−１，２，３，４，５，６，７，８−オクタヒドロナフタレン−４ａ−オール、例えばジェオスミン、４−エチニル−２−メトキシフェノール、例えば４−エチルグアイアコール、４−エチルフェノール、２，６，６−トリメチルシクロヘキサ−１，３−ジエンカルバルデヒド、例えばサフラナール、３−プロピルフェノール、イソ−ブチルメトキシピラジン、２−メトキシ−３，６−ジメチルピラジンおよび２−メチルイソボルネオール；１，２，７，７−テトラメチルビシクロ［２．２．１］ヘプタン−２−オール、例えば２−メチルイソボルネオールの少なくとも１の成分、および
２−イソプロピル−３−メトキシピラジン、または２−メトキシ−３，５−ジメチルピラジン、２−メトキシ−５，６−ジメチルピラジン、２−イソプロピル−５−メトキシピラジン、２−イソプロピル−６−メトキシピラジン、２−ｓｅｃ−ブチル−３−メトキシピラジンまたは２−ブチル−３−メトキシピラジンなどの他の嗅覚的に類似のピラジン香料成分、４，４，８ａ−トリメチルデカヒドロナフタレン−４ａ−オール、例えばメチルジェオスミン、（３Ｓ，５Ｒ，８Ｓ）−５−イソプロペニル−３，８−ジメチル−３，４，５，６，７，８−ヘキサヒドロ−１（２Ｈ）−アズレノン、例えばロタンドンまたは（３Ｓ，５Ｒ，８Ｓ）−５−イソプロペニル−３，８−ジメチル−３，４，５，６，７，８−ヘキサヒドロ−１（２Ｈ）−アズレノン、例えばロタンドン含有材料(例えばAKIGALAWOOD（商標）の形態で）、クラリーセージアブソリュート、３，８，８，１１ａ−テトラメチルドデカヒドロ−１Ｈ−３，５ａ−エポキシナフト［２，１−ｃ］オキセピン、例えばAMBERKETAL（商標）、２−（３，８−ジメチル−１，２，３，４，５，６，７，８−オクタヒドロアズレン−５−イル）プロパン−２−イルアセテート、例えばグアイルアセテート、（Ｅ）−１−（２，６，６−トリメチルシクロヘキサ−１，３−ジエン−１−イル）ブタ−２−エン−１−オン、例えばダマセノン、２−（２−（３，３，５−トリメチル−シクロヘキシル）アセチル）シクロペンタノン、例えばジオン、４−エチルオクタン酸、ジメチルスルフィド、２，４−ジエトキシ５−メチルピリミジン、例えばVETHYMINE（商標）、イソ−プロピル−２−メチル−４−チアゾール、パインオイル  （特にシベリアンパインオイル）、２−（４−メチルシクロヘキサ−３−エン−１−イル）プロパン−２−オール、例えば４−テルピネオール、オクタ−１−エン−３−オール、例えばアミルビニルカルビノール、８ａ，９，９−トリメチル−１，２，４ａ，５，６，７，８，８ａ−オクタヒドロ−１，６−メタノナフタレン−１−オール、例えばノル−パチョレノール、５−イソプロピル−２−メチルフェノール、例えばカルバクロール、４−ヒドロキシ−３−メトキシベンズアルデヒド、例えばバニリン、４−アリル−２−メトキシフェノール、例えばオイゲノール、２−メトキシフェノール、例えばグアイアコール、ジヒドロ４−アリル−２−メトキシフェノール、例えばオイゲノール、３−ヒドロキシ−４，５−ジメチルフラン−２（５Ｈ）−オン、例えばキャラメルラクトン、４−（１−エトキシビニル）−３，３，５，５−テトラメチルシクロヘキサノン、例えばKEPHALIS（商標）、フェヌグリークアブソリュート、イモーテルアブソリュート、ラブダナムアブソリュート、ハルガヤアブソリュート、ミツロウアブソリュート、ジメチルトリスルフィド、２−メチルペンタン酸エチル、例えばマンザネート（商標）、２−メチルプロパン酸、３−メチル酪酸、４−メチルオクタン酸および（Ｚ）−メチル２−（３−オキソ−２−（ペンタ−２−エン−１−イル）シクロペンチル）アセテート、例えばエピジャスモン酸メチルから選択される少なくとも１の成分、
を含む請求項１〜４のいずれか一項に記載の香料補完物。
【請求項７】
８−（ｓｅｃ−ブチル）−５，６，７，８−テトラヒドロキノリン、例えばBIGARYL、キャロットシードオイル、ティーツリーオイル、２，３−ジメチルピラジン、２，５−ジメチルピラジン、ブラックチョコレートアコード、コーヒーエクストラクト、５，８ａ−ジメチル−１，３，４，７，８，８ａ−ヘキサヒドロナフタレン−４ａ（２Ｈ）−オール、例えばGEOVERTOL（商標）、（Ｅ）−４−メチルデカ−３−エン−５−オール、例えばUNDECAVERTOL（商標）、２，４−ジヒドロキシ−３，６−ジメチル安息香酸メチル、例えばエベルニル、２−（３−フェニルプロピル）ピリジン、例えば CORPS RACINE（商標）、ラブダナムオイル、ハイドロカーボレジン、スエーデラル、または他の類似のレザーアコード、１ａ，３，３，４，６，６−ヘキサメチル−１ａ，２，３，４，５，６，７，７ａ−オクタヒドロナフト［２，３−ｂ］オキシレン、例えばMOXALONE（商標）、２−イソブチルキノリン、例えばイソブチルキノリン、２，３，３−トリメチル−２，３−ジヒドロ−１Ｈ−インデン−１−オン、例えばサフラレイン、バーチタール、カデオイル、パイロゲン化スタイレクス、２−メトキシ−４−メチルフェノール、例えばクレゾ−ル、シプリオール、３−ヒドロキシ−２−メチル−４Ｈ−ピラン−４−オン、例えばマルトール、２−エチル−４−ヒドロキシ−５−メチルフラン−３（２Ｈ）−オン、例えばホモフルノール、２−ヒドロキシ−３−メチルシクロペンタ−２−エノン、例えばコリロン、２−（４−メチル−１，３−チアゾール−５−イル）エタノール、例えばSULPHUROL（商標）、２−ヒドロキシ−３，４−ジメチル−２−シクロペンテン−１−オン、例えばメチルコリロン、４−アリル−２−メトキシフェニルアセテート、例えばオイゲニルアセテート、イソ−４−アリル−２−メトキシフェノール、例えばオイゲノール、２−エトキシ−４−メチルフェノール、例えばウルトラヴァニル、（１Ｒ，４Ｒ，６Ｒ，１０Ｓ）−４，１２，１２−トリメチル−９−メチレン−５−オキサトリシクロ［８．２．０．０４，６］ドデカン、例えばカリオフィレンオキサイド、１，３，４，５，６，７−ヘキサヒドロ−．ベータ．，１，１，５，５−ペンタメチル−２Ｈ−２，４ａ−メタノナフタレン−８−エタノール、例えばAMBERMAX（商標）、（４ａＲ，５Ｒ，７ａＳ，９Ｒ）−オクタヒドロ−２，２，５，８，８，９ａ−ヘキサメチル−４Ｈ−４ａ，９−メタノアズレノ［５，６−ｄ］−１，３−ジオキソール、例えばAMBROCENIDE（商標）、amber Xtreme、オスマンサスアコード、タバコアブソリュート、ヘイアブソリュート、ブランアブソリュート、４−メチル吉草酸、イソアミルアルコール、ヘキサナール、ヘキサノール、ヘキサニルアセテート、２，６，６−トリメチルビシクロ［３．１．１］ヘプタ−２−エン、例えばピネンアルファ、６，６−ジメチル−２−メチレンビシクロ［３．１．１］ヘプタン、例えばピネンベータ、４−メチレン−１−（１−メチルエチル）ビシクロ［３．１．０］ヘキサン、例えばサビネン、７−メチル−３−メチレンオクタ−１，６−ジエン、例えばミルセン、ノン−２−エナール、シス３−ヘキサノール、メチルイソアミルケトン、２−メチル酪酸、カストリウムベース、インドール、３−メチル−���Ｈ−インドール、例えばスカトール、ｐ−クレゾール、ｐ−クレジルアセテート、コスタスオリファック、６−メチル−５−ヘプテン−２−オン、２，６，６−トリメチル−１−シクロヘキセン−１−カルバルデヒド、例えばベータシクロシトラール、（Ｅ）−４−（２，６，６−トリメチルシクロヘキサ−１−エン−１−イル）ブタ−３−エン−２−オン、例えばイオノンベータ、メチルノニルケトンおよびメチルヘプチルケトンからなる群から選択される１つ以上の化合物を含む請求項３〜５のいずれか一項に記載の香料補完物。
【請求項８】
少なくとも１つの群Ａの化合物および／または少なくとも１つの群Ｂ、および／または少なくとも１つの群Ｃ、および／または少なくとも１つの群Ｄおよび／または少なくとも１つのグループＥの化合物を含む香料補完物であって、ここで
群Ａ−
（ｉ）  ２−メトキシ−３，６−ジメチルピラジン、
（ｉｉ）  ２−イソプロピル−３−メトキシピラジン、２−イソブチル−３−メトキシピラジン、
群Ｂ−
（ｉ）  ２−メチル１，２，７，７−テトラメチルビシクロ［２．２．１］ヘプタン−２−オール、例えば２−メチルイソボルネオール（エナンチオオマーの一方、またはそれらのあらゆる割合の混合物）、
（ｉｉ）  ４，４，８ａ−トリメチルデカヒドロナフタレン−４ａ−オール、例えばメチルジェオスミン、
群Ｃ−
（ｉ）  ３−プロピルフェノール、
（ｉｉ）  ４−エチルフェノール、
群Ｄ−
（ｉ）  （３Ｓ，５Ｒ，８Ｓ）−５−イソプロペニル−３，８−ジメチル−３，４，５，６，７，８−ヘキサヒドロ−１（２Ｈ）−アズレノン、例えばロタンドン、クラリーセージアブソリュート、３，８，８，１１ａ−テトラメチルドデカヒドロ−１Ｈ−３，５ａ−エポキシナフト［２，１−ｃ］オキセピン、例えばAMBERKETAL（商標）、
（ｉｉ）  ２−（３，８−ジメチル−１，２，３，４，５，６，７，８−オクタヒドロアズレン−５−イル）プロパン−２−イルアセテート、例えばグアイルアセテート、（Ｅ）−１−（２，６，６−トリメチルシクロヘキサ−１，３−ジエン−１−イル）ブタ−２−エン−１−オン、例えばダマセノン、２−（２−（３，３，５−トリメチル−シクロヘキシル）アセチル）シクロペンタノン、例えばジオン、
群Ｅ−
（ｉ）  ４−エチルオクタン酸、ジメチルジスルフィド、
（ｉｉ）  ４−メチル吉草酸エチル、ジメチルトリスルフィド、
である、前記香料補完物。
【請求項９】
群Ａ（ｉ）からの少なくとも１つの化合物、群Ｂ（ｉ）からの少なくとも１つの化合物、群Ｃ（ｉ）からの少なくとも１つの化合物、群Ｄ（ｉ）からの少なくとも１つの化合物および群Ｅ（ｉ）からの少なくとも１つの化合物を含む、または
群Ａ（ｉｉ）からの少なくとも１つの化合物、群Ｂ（ｉｉ）からの少なくとも１つの化合物、群Ｃ（ｉｉ）からの少なくとも１つの化合物、群Ｄ（ｉｉ）からの少なくとも１つの化合物および群Ｅ（ｉｉ）からの少なくとも１つの化合物を含む、
請求項８に記載の香料補完物。
【請求項１０】
Ａ（ｉ）の全て、Ｂ（ｉ）の全て、Ｃ（ｉ）の全て、Ｄ（ｉ）の全ておよびＥ（ｉ）の全てを含む、または
Ａ（ｉｉ）の全て、Ｂ（ｉｉ）の全て、Ｃ（ｉｉ）の全て、Ｄ（ｉｉ）の全ておよびＥ（ｉｉ）の全てを含む、
請求項８に記載の香料補完物。
【請求項１１】
Ａ（ｉ）の全て、Ｂ（ｉ）の全て、Ｃ（ｉ）の全て、Ｄ（ｉ）の全ておよびＥ（ｉ）の全て、およびＡ（ｉｉ）、Ｂ（ｉｉ）、Ｃ（ｉｉ）、Ｄ（ｉｉ）およびＥ（ｉｉ）の全てを含む、請求項８〜１０のいずれか一項に記載の香料補完物。
【請求項１２】
Ａ（ｉｉｉ）、Ｂ（ｉｉｉ）、Ｃ（ｉｉｉ）、Ｄ（ｉｉｉ）およびＥ（ｉｉｉ）からなる群から選択される少なくとも１つの化合物、および／または
群Ａ（ｉｖ）、Ｂ（ｉｖ）、Ｃ（ｉｖ）、Ｄ（ｉｖ）およびＥ（ｉｖ）のいずれか１つから選択される少なくとも１つの化合物
をさらに含む、請求項８〜１１のいずれか一項に記載の香料補完物：
群Ａ−
（ｉｉｉ）  ２，４−ジエトキシ５−メチルピリミジン、例えばVETHYMINE（商標）、イソ−プロピル−２−メチル−４−チアゾール、シベリアンパインオイル、２−（４−メチルシクロヘキサ−３−エン−１−イル）プロパン−２−オール、例えば４−テルピネオール、２−メトキシ−３，５−ジメチルピラジン、２−メトキシ−５，６−ジメチルピラジン、２−イソプロピル−５−メトキシピラジン、２−イソプロピル−６−メトキシピラジン、２−ｓｅｃ−ブチル−３−メトキシピラジンおよび２−ブチル−３−メトキシピラジン、
（ｉｖ）  ８−（ｓｅｃ−ブチル）−５，６，７，８−テトラヒドロキノリン、例えばBIGARYL（商標）、キャロットシードオイル、ティーツリーオイル、２，３−ジメチルピラジン、２，５−ジメチルピラジン、ブラックチョコレートアコードまたは超臨界二酸化炭素抽出によって得られたコーヒーオイル、
群Ｂ−
（ｉｉｉ）  （４Ｓ，４ａＳ，８ａＲ）−４，８ａ−ジメチル−１，２，３，４，５，６，７，８−オクタヒドロナフタレン−４ａ−オール、例えばジェオスミン、オクタ−１−エン−３−オール、例えばアミルビニルカルビノール、１，２，７，７−テトラメチルビシクロ［２．２．１］ヘプタン−２−オール、例えば２−メチルボルネオールおよび８ａ，９，９−トリメチル−１，２，４ａ，５，６，７，８，８ａ−オクタヒドロ−１，６−メタノナフタレン−１−オール、例えばノル−パチョレノール、
（ｉｖ）  ５，８ａ−ジメチル−ｌ，３，４，７，８，８ａ−ヘキサヒドロナフタレン−４ａ（２Ｈ）−オール、例えばGEOVERTOL、（Ｅ）−４−メチルデカ−３−エン−５−オール、例えばUNDECAVERTOL（商標）、２，４−ジヒドロキシ−３，６−ジメチル安息香酸メチル；、例えばエベルニルおよび２−（３−フェニルプロピル）ピリジン、例えばCORPS RACINE（商標）、
群Ｃ−
（ｉｉｉ）  ４−エチニル−２−メトキシフェノール、例えば４−ビニルグアイアコール、２，６，６−トリメチルシクロヘキサ−１，３−ジエンカルバルデヒド、例えばサフラナール、４−ビニルフェノール、４−、４−プロピルフェノールおよび３−エチルフェノール、
（ｉｖ）  ラブダナムオイル、ハイドロカーボレジン、スエーデラル(IFF)(またはレザーアコード、１ａ，３，３，４，６，６−ヘキサメチル−１ａ，２，３，４，５，６，７，７ａ−オクタヒドロナフト［２，３−ｂ］オキシレン、例えばMOXALONE（商標）、2-イソブチルキノリン、例えばイソブチルキノリン、２，３，３−トリメチル−２，３−ジヒドロ−１Ｈ−インデン−１−オン、例えばサフラレイン、バーチタール、カデオイル、パイロゲン化スタイレクスおよび２−メトキシ−４−メチルフェノール、例えばクレゾ−ル、
群Ｄ−
（ｉｉｉ）  ４−ヒドロキシ−３−メトキシベンズアルデヒド、例えばバニリン、４−アリル−２−メトキシフェノール、例えばオイゲノール、２−メトキシフェノール、例えばグアイアコール，ジヒドロ４−アリル−２−メトキシフェノール、例えばオイゲノール、３−ヒドロキシ−４，５−ジメチルフラン−２（５Ｈ）−オン、例えばキャラメルラクトン（商標）、４−（１−エトキシビニル）−３，３，５，５−テトラメチルシクロヘキサノン、例えばKEPHALIS（商標）、フェヌグリークアブソリュート、イモーテルアブソリュート、ラブダナムアブソリュート、ハルガヤアブソリュートおよびミツロウアブソリュート、
（ｉｖ）  シプリオールオイル、３−ヒドロキシ−２−メチル−４Ｈ−ピラン−４−オン、例えばマルトール、２−エチル−４−ヒドロキシ−５−メチルフラン−３（２Ｈ）−オン、例えばホモフルノール、２−ヒドロキシ−３−メチルシクロペンタ−２−エノン、例えばコリロン、２−（４−メチル−１，３−チアゾール−５−イル）エタノール、例えばSULPHUROL（商標）、２−ヒドロキシ−３，４−ジメチル−２−シクロペンテン−１−オン、例えばメチルコリロン、４−アリル−２−メトキシフェニルアセテート、例えばオイゲニルアセテート、イソ−４−アリル−２−メトキシフェノール、例えばオイゲノール、２−エトキシ４−メチルフェノール、例えばウルトラヴァニル（商標）、（１Ｒ，４Ｒ，６Ｒ，１０Ｓ）−４，１２，１２−トリメチル−９−メチレン−５−オキサトリシクロ［８．２．０．０４，６］ドデカン、例えばカリオフィレンオキサイド、１，３，４，５，６，７−ヘキサヒドロ−．ベータ．，１，１，５，５−ペンタメチル−２Ｈ−２，４ａ−メタノナフタレン−８−エタノール、例えばAMBERMAX（商標）、（４ａＲ，５Ｒ，７ａＳ，９Ｒ）−オクタヒドロ−２，２，５，８，８，９ａ−ヘキサメチル−４Ｈ−４ａ，９−メタノアズレノ［５，６−ｄ］−１，３−ジオキソール、例えばAMBROCENIDE（商標）、1-(2-tert-ブチル−シクロヘキシル)オキシブタン-2-オール、例えばAMBER XTREM（商標）、オスマンサスアコード、タバコアブソリュート、ヘイアブソリュート（hay absolute）およびブランアブソリュート、
群Ｅ−
（ｉｉｉ）  ２−メチルペンタン酸エチル、例えばマンザネート（商標）、２−メチルプロパン酸、３−メチル酪酸、４−メチルオクタン酸および（Ｚ）−メチル  ２−（３−オキソ−２−（ペンタ−２−エン−１−イル）シクロペンチル）アセテート、例えばエピジャスモン酸メチル、
（ｉｖ）  ４−メチル吉草酸、イソアミルアルコール、ヘキサナール、ヘキサノール、ｃｉｓ−３−ヘキサニルアセテート、アルファ−ピネン、ベータ−ピネン、４−メチレン−１−（１−メチルエチル）ビシクロ［３．１．０］ヘキサン、例えばサビネン、７−メチル−３−メチレンオクタ−１，６−ジエン、例えばミルセン、ノン−２−エナール、シス３−ヘキサノール、５−メチル−ヘキサン−２−オン（メチルイソアミルケトン）、２−メチル酪酸、カストリウムベース、インドール、３−メチル−１Ｈ−インドール、例えばスカトール、ｐ−クレゾール、ｐ−クレジルアセテート、コスタスオリファック(IFF)、６−メチル−５−ヘプテン−２−オン、２，６，６−トリメチル−１−シクロヘキセン−１−カルバルデヒド、例えばベータシクロシトラール、ベータ−イオノン、ウンデカン−２−オン（メチルノニルケトン）およびノナン−２−オン（メチルヘプチルケトン）。
【請求項１３】
Ａ（ｉｉｉ）、Ｂ（ｉｉｉ）、Ｃ（ｉｉｉ）、Ｄ（ｉｉｉ）およびＥ（ｉｉｉ）の全て、および／または
Ａ（ｉｖ）、Ｂ（ｉｖ）、Ｃ（ｉｖ）、Ｄ（ｉｖ）およびＥ（ｉｖ）の全てを含む、請求項１２に記載の香料補完物。
【請求項１４】
パチョリエクステンダーおよび請求項１〜１３のいずれか一項に記載の香料補完物を含むフレグランス配合物。
【請求項１５】
パチョリエクステンダーが、高度発酵によって、好ましくは、テルペン前駆体基質であるファルネシルピロリン酸（ＦＰＰ）へのセスキテルペン合成酵素の作用によって調製される、請求項１４に記載のフレグランス配合物。
【請求項１６】
パチョリエクステンダーが、Clearwood（商標）である、請求項１４または１５に記載のフレグランス配合物。
【請求項１７】
フレグランス配合物、特にパチョリエクステンダーの匂いを適応、改変または改善する方法であって、請求項１〜１３のいずれか一項に記載の香料補完物を当該配合物に添加するステップを含む、前記方法。
【請求項１８】
香料補完物に含まれる化合物が、フレグランス配合物に別々に、順次的にまたは同時に添加される、請求項１７に記載の方法。
【請求項１９】
請求項１〜１３のいずれか一項に記載の香料補完物または請求項１４〜１６のいずれか一項に記載のフレグランス組成物を含有する消費者製品。